(57)【要約】【課題】横架材上に直貼りしても、床下の空気を流通させて壁内の通気層へ逃がすことができる床合板の提供。【解決手段】床合板は、構造用合板１３の下面において横架材１１上に載置する部分に、多数のスペーサブロック１４を互いに隙間をあけて装着した構成とする。スペーサブロック１４は構造用合板１３の周縁に沿って装着するが、面積が大きい場合は、さらに中間線に沿って取り付ける。構造用合板１３の端面から僅かに内側へ退いてスペーサブロック１４を装着すると良い。【選択図】図３
0003139914.tif 000002
【実用新案登録請求の範囲】
【請求項１】
構造用合板の下面において横架材上に載置する部分に、多数のスペーサブロックを互いに隙間をあけて装着してあることを特徴とした床合板。
【請求項２】
構造用合板の周縁に沿ってスペーサブロックを装着してある請求項１に記載の床合板。
【請求項３】
構造用合板の端面から僅かに内側へ退いてスペーサブロックを装着してある請求項２に記載の床合板。
【請求項４】
構造用合板の中間線に沿ってスペーサブロックを装着してある請求項２又は３に記載の床合板。
【考案の詳細な説明】
【技術分野】
【０００１】
本考案は、木造建物において横架材の上に直貼りする床合板に関する。
【背景技術】
【０００２】
省エネルギー住宅において、高気密・高断熱は重要な必要条件である。このため、家屋全体を外側から断熱材で包むことにより、冬は暖かい空気を逃がさず、夏は太陽熱の進入を防いで、一年を通じて急激な屋内の温度変化を抑えるようにしている。  
また、屋内の換気（空気の交換）と併せ、床下から取り込んだ空気を外壁及び内部間仕切り壁を含む壁内全体に連通する通気層（通気路）に誘導し、これらを流通させた後に小屋裏から放出する通気経路を設定すると、屋内温度の変化を抑えて居住性を高めることができる。さらに、壁内に通気層を形成することで、壁内空間の急激な温度変化を抑制し、壁内結露を防いで建物自体の老朽化を防ぐことができる。
【０００３】
一般的な木造建物における床の仕組みは、梁、大引等の横架材にこれと交差するよう根太を配置し、その上に合板等の下地板を載置して釘止めし、さらに、下地板の上にフローリング材、畳等の仕上げ材を敷設することが多い。  
このような木造建物では、床下の空気が根太間の隙間を通して流通し、壁内の通気層へ流れ込んで小屋裏から換気される。  
特許文献１の床構造は、根太を外壁から間隔を隔てて配置し、この隙間を介して床下空気通路と外壁空気通路が連通している。  
特許文献２の家屋は、室内空気を二重床の内部に形成した床通気路へ導入し、さらに外壁通気路へ空気を逃がして上昇させるものであるが、床通気路から壁通気路へ空気を逃がす通気孔は床板用根太に設けてある。
【０００４】
一方、建物の構造強化の為に、２階以上の床に根太を設置せず、床剛性を高めるように、厚物構造用合板（２４mm〜２８mm）を横架材上に直張りし、耐震性能を強化する仕組みがある。  
しかし、この構造では、内部間仕切り壁内への下階からの通気が床板を直張りした箇所で遮断されてしまうため、通気が外壁のみに集中し、内部間仕切り壁を含む壁内空間全体の空気の流通が非常に悪くなる。
【０００５】
【特許文献１】特開２００５−４８５６６号公報
【特許文献２】特開２００２−８８９３９号公報
【考案の開示】
【考案が解決しようとする課題】
【０００６】
本考案が解決しようとする課題は、根太を用いず厚物構造用合板を横架材上に設置した工法の場合に、床下の空気を壁内の通気層へ逃がすことができるスペーサブロック付きの床合板を提供することにある。
【課題を解決するための手段】
【０００７】
本考案の床合板は、構造用合板（厚物構造用合板を用いることが多い）の下面において横架材上に載置する部分、通常はそのすべてに、多数のスペーサブロックを互いに隙間をあけて装着してある。  
隣り合う構造用合板どうしをぴったり突合せることができるよう、構造用合板の端面から僅かに内側へ退いてスペーサブロックを装着するのが望ましい。
【考案の効果】
【０００８】
本考案によれば、スペーサブロック間の隙間を通して構造用合板より下方の空気を流通させ、壁内の通気層へ誘導して換気することができる。  
スペーサブロックは構造用合板の下面に予め取り付けてあるので、現場で横架材上に多数のスペーサブロックを取り付ける必要が無く、合板設置工事だけで済むため施工の手間を省ける。
【考案を実施するための最良の形態】
【０００９】
図１は、本発明の実施例に係る木造建物を示す。  
この建物の壁構造及び一階の床構造は、従来のものと変わるところは無く、土台１の上に柱２を立設し、柱２の内面に内装材３を取り付け、柱２の外面に断熱材４及び外装材５を装着し、内装材３と断熱材４の間に通気層６を形成して、外壁を構成している。内壁は、柱２の両面に内装材３を張り、その間に通気層６を形成して成る。また、土台１及び大引の上に根太８を適宜間隔ごとに配設し、根太８の上に合板より成る下地板９を設置し、さらにその上に床仕上げ材１０を敷設して一階の床を形成してある。
【００１０】
二階以上の床は、柱２の上端に架設した横架材１１で支持する。横架材１１の上に床合板１２を直に貼り、床合板１２上に床仕上げ材１０を敷設する。  
床合板１２として、基本的に合板の既成寸法である幅９１０ｍｍ、長さ１８２０ｍｍとした長寸法床合板１２ａを用いるが、長寸法床合板１２ａが納まらない部分には短寸法床合板１２ｂを設置する。なお、短寸法床合板１２ｂの寸法は、必要に応じて様々に加工することができる。  
横架材１１は縦横に９１０ｍｍ間隔で配置することが基本となっているので、長寸法床合板１２ａを設置するとその周縁及び中間部が横架材１１上に載置される。
【００１１】
床合板１２は、構造用合板１３と、構造用合板１３の下面に装着した多数のスペーサブロック１４とから成る。  
床合板１２は狭い間隔で配置した根太により支持されないので、構造用合板１３は２８ｍｍ程度の厚みを有することが望ましい。  
スペーサブロック１４は、木片、ゴム、プラスチック等より成り、横架材１１上に載置する部分に互いに隙間をあけて、釘、接着剤等を用いて装着してある。スペーサブロック１４間の隙間は、横架材１１上に設置したとき、空気を流通させる通気溝１５となる。
なお、本実施例ではスペーサブロック１４の寸法を、幅６９ｍｍ、奥行き５５ｍｍ、厚さ１３ｍｍとしてあるが、これに限定されるものではない。
【００１２】
長寸法床合板１２ａは、その周縁部及び長手方向中間部を横架材１１上に載せるので、図３に示すように、周縁及び中間線に沿ってスペーサブロック１４を装着する。  
短寸法床合板１２ｂは、周縁部のみを横架材１１上に載置するので、図４に示すように、周縁に沿ってスペーサブロック１４を装着する。  
スペーサブロック１４は、その幅が構造用合板１３の周縁及び中間線に沿うよう、且つ、幅と同じ隙間をあけて取り付ける。また、周縁部のスペーサブロック１４は、構造用合板１３どうしを隙間無く突き当てることができるように、構造用合板１３の端面から内側へ１ｍｍ程度退いた位置に取り付ける（図５）。
【００１３】
柱２が立っている場所に設置する床合板１２には、周縁部の対応する箇所を切欠いて柱係合部１６を形成する。柱係合部１６は柱２の断面よりもやや大きくして、寸法誤差や変形を吸収できるようにする。この柱係合部１６は予め工場で形成しておいても、現場で形成しても良い。  
壁の無い部分では構造用合板１３の端面を突き当てて横架材１１上に床合板１２を敷設し、構造用合板１３及びスペーサブロック１４を通して横架材１１へ釘打ちにより固定する。スペーサブロック１４の間には通気溝１５が形成されるので、通気溝１５を通して床合板１２の下の空気が流動する。
【００１４】
内部間仕切り壁を立設する箇所では、図６に示すように、壁芯から約１５ｍｍ後退して床合板１２を設置する。従って、内壁の下方で端部が隣り合う床合板１２の間には通気用間隙１７が形成される。壁芯から後退して設置する床合板１２は、工場で１５ｍｍ小さい寸法に形成しておいても良いし、現場で切断しても良い。  
床合板１２の下方を流動する空気は、外壁に臨む床合板１２の端部に形成した通気溝１５から外壁の通気層６へ流入すると共に、通気用間隙１７から内壁の通気層６へ流入し、この通気層６を通って上方へ誘導される。  
なお、図に示す例では、隣り合う横列どうしで床合板１２の短辺の突合せ位置が一致するように配置してあるが、互い違いになるよう配置しても良い。
【図面の簡単な説明】
【００１５】
【図１】本考案の実施例に係る木造建物の断面図。
【図２】本考案の実施例に係る床合板の割付図。
【図３】長寸法床合板の下面図。
【図４】短寸法床合板の下面図。
【図５】床合板の要部側面図。
【図６】内壁設置部分の断面図。
【符号の説明】
【００１６】
１  土台
２  柱
３  内装材
４  断熱材
５  外装材
６  通気層
８  根太
９  下地板
１０  床仕上げ材
１１  横架材
１２  床合板
１２ａ  長寸法床合板
１２ｂ  短寸法床合板
１３  構造用合板
１４  スペーサブロック
１５  通気溝
１６  柱係合部
１７  通気用間隙
【図１】
0003139914.tif 000003
【図２】
0003139914.tif 000004
【図３】
0003139914.tif 000005
【図４】
0003139914.tif 000006
【図５】
0003139914.tif 000007
【図６】
0003139914.tif 000008